(57)【要約】　　　（修正有）【課題】飲料用の缶を購入して飲用するに際し、缶を傾けたり、仰向けになったりすることなく缶内の飲料を全て飲み尽くすことができる飲料用の缶を提供する。【解決手段】飲料用の缶体１の上部適所に、缶底に届く管部２ｃを装着するとともに、該管の上部の外気に露出する部位に、常時は缶体の上面、側面から突出せず、飲用時には先端の吸口部分２ｆが缶本体外面から突出する吸口部材２を設ける。【選択図】　　　図１
2004026304.tif 000002
【特許請求の範囲】
【請求項１】
飲用の液を封入した缶の上部適所に、缶底に届く管を装着するとともに、該管の上部の外気に露出する部位に、常時は缶本体外側の面から突出せず、飲用時には先端吸口部分が缶本体外面から突出する吸口部材を設けてなることを特徴とする飲料用の缶。
【発明の詳細な説明】
【０００１】
【発明が属する技術分野】
この発明は、コーヒー、酒類などの販売に資する缶、特に、その吸引部位の構成に関するものである。
【０００２】
【従来技術】
この種の缶では、アルミニューム、鉄（ブリキ）製の缶の上面に、近来普及している、所謂プル・トップによる開口手段を設けてなるものが多く、このような構成によって、特に自動販売機によるこの種の飲料の販売が広く普及していることはよく知られているとおりである。
【０００３】
しかしながら、このような缶の製造、販売態様をみると、缶体製造、収納飲料の充填などメーカーが拘わっている段階では衛生面にも注意が払われているが、完成した缶が、問屋、小売店、更に自動販売機などを経て消費者にわたる間は外気にさらされていて、特段のシール手段も無いのが通例で衛生面から云って好ましいとは云えないのが普通である。
【０００４】
とくに、自動販売機から購入する場合には、飲料を他の容器に移すことなく、通常缶の上面に形成されている開口部（プル・トップ）を開放してそのまま飲むことがおおく、上記のように衛生的にも好ましくなく、さらに、この場合には、内部の飲料が少なくなれば、仰向けにならざるを得ない。
【０００５】
このような飲み方は見栄えがよくないばかりでなく、特に老人などでは噎せたりして体調を崩す原因にもなりかねない。
【０００６】
さらにまた、人間の指先の形状は千差万別で、指先から爪が引っ込んでいる場合も多く、このような場合には、プル・トップ方式でも缶の開放が困難であることが多いことは、オープナーと称するプル・トップ開缶用の道具が市場に存在していることからもわかる。
【０００７】
【発明が解決しようとする課題】
本発明はこのような事態に対処すべくなされたものであって、この種の飲料用の缶に予め吸口部材を取着しておき、購入した缶から、これに取着した吸口部材を使用して、缶を傾けたり、仰向けになったりすることなく缶内の飲料をすべて飲み尽くすことができるような飲料用の缶を提供することを目的とするものである。
【０００８】
【課題を解決する手段】
上記の目的を達成するため、本発明は、飲用の液を封入した缶の上部適所に、缶底に届く管を装着するとともに、該管の上部の外気に露出する部位に、常時は缶本体外側の面から突出せず、飲用時には先端吸口部分が缶本体の外側の面から突出する吸口部材を設けてなることを特徴とする飲料用の缶である。
【０００９】
【実施例の説明】
「図１」は本発明の実施例を示す飲料用の缶の要部断面図であって、ほぼ円筒状に形成された缶の側壁１ｂの上部に上蓋１ａが配されて缶体１が形成されている。該上蓋１ａの適所に凹部４が形成してあり、該凹部４内には未販売時には前記上蓋１ａ周囲のリム面よりも突出しないように吸口部材２が配設してある。該吸口部材２は適度の硬度と弾性を備えた適宜のプラスチック材料で構成されているものとする。
【００１０】
前記吸口部材２には鍔部２ｂが缶側に密着して設けてあり、その一側から管部２ｃが延びていて、この管部２ｃが上蓋適所に設けた開口（なるべく側壁１ｂに近い位置が好適である）から缶内に延在して缶内底部に到っており、その先端は開放となっている。
【００１１】
前記鍔部２ｃの他側には、上側内面が球面の一部となっている受部５が形成してあり、この球状内面５ａには、これに密着する形状を有する球体２ｇが着座している。
【００１２】
前記球体２ｇには中空の吸口２ｆが設けてあり、その内部中空部の延長部において、前記球体２ｇには球体を貫通して開口２ｋが形成してある。
【００１３】
前述の受部５の上縁周囲には、前記球体２ｇの表面に沿うように延設された適数の突部５ｂが形成してあり、それらの突部５ｂの頂部は球体２ｇの最大径部を越えて延在して球体表面に当接するような形状となっている。なお、後述するように、前記球体２ｇを前記受部の球状内面５ａに装着し易くするため、各突部５ｂの頂部は弾性によって外方に拡開するように、また、丸みを帯びた形状にするのがよい。
【００１４】
従って、前記球体２ｇを前記受け部５の球状内面５ａに圧入着座させれば、その球体２ｇは前記内面５ａと前記突部５ｂに囲繞されて、その位置で前記突部５ｂに衝突しない範囲で自由に回動、起伏できる。
【００１５】
なお、前記各突部の頂点間に形成される空間の径は球体２ｇの径よりも小さいが、球体２ｇを上方から圧入すれば各突部５ｂはその弾性によって拡開するから、該球体は容易に所定位置に着座させることができる。
【００１６】
缶に液を充填した後、「図１」に示すように吸口２ｆを倒した形で凹所４内に吸口２ｆ等を収納し、少なくとも該凹所４を覆うようにシール部材３で吸口２ｆ等缶の上面を覆うものとする。
【００１７】
一方、前記受部５の球状内面５ａには、前記管部２ｃに接続した、円形など適宜の形状の凹部２ｉが形成してある。従って、「図１」の状態（販売前）では前記凹部２ｉと前記貫通孔２ｋとが合致せず、缶内の液は密封された状態にある。缶購入者がシール部材３をはがし、吸口２ｆを立ち上げると、その貫通孔２ｋが前記凹部２ｉと合致して缶内の液と吸口２ｆが連通して缶を傾けることなく、缶内飲料を飲み干すむことができる。
【００１８】
その間、吸口２ｆは飲む直前までシール部材３に覆われているから衛生的であり、また、吸口２ｆを立ち上げることによってそのまま最後までのみ干せ、液が少なくなっても、仰向けになる必要もないから、見映えもよく、噎せたりするおそれもない。さらに、中途で飲むのをやめる場合にも吸口部材２を倒せば缶が密閉されるので始末がよい。
【００１９】
なお、図示はしてないが、上記の装置において、球体２の替わりに短円筒状乃至円盤状の部材を、円弧状に形成した受部に着座させ、これに設けたピンなどによって回動自在に取着した構成としても上記の容器のものとほぼ同様の作用が得られることは容易に理解できるところであろう。
【００２０】
また、上記のような構成の吸引手段では、吸い口をくわえて飲料を飲めば、内圧が低下して吸引が次第に困難になる可能性がある。また、この種の飲み物では、炭酸ガスなどが含まれていて内圧がかかっているものがあり、このような缶では、従来購入者が缶を開けるとき予め少許量開缶してガス圧を解除してから飲用に供する必要があった。このような事態に対処すべく、「図１」に符号２ｅで示すように管２ｃ上部に小孔を設けてある。
【００２１】
このように小孔を設けることによって、上記前者の場合には、口を吸口からちょっとはなせば缶の内外が連通し、瞬時に全体が同圧となつて吸い難さが解消する。また、上記後者の場合には、吸口を立ちあげ（「図１」の実施例）ることによって内外の圧力差を殆ど瞬時に解消することが可能となり、飲み難さや飲料の漏出を好適に解消できる。
【００２２】
「図３」は本発明の他の実施態様を示す平面図、「図４」は同図Ａ−Ａ断面図であって、通常鉄（ブリキ）、アルミ板などで円筒形に形成された缶の上面蓋部材には開口が形成してあり、これに吸口部材２が配設してある。該吸口部材２は、全体として中空に形成してあり、適宜の弾性を有するプラスチック材からなるものが好適であって、その缶内にある管部２ｃは缶の底部まで延設されており、管内側の端部は開放されている。
【００２３】
前記吸口部材２の前記管部２ｃの上端には鍔部２ｂが形成してあって、この鍔部２ｂが缶の蓋部材の開口に外部から密着状に接触して缶内の液の漏出を阻止している。
【００２４】
前記鍔部２ｂのさらに外側には吸口２ａが形成してあり、該吸口２ａには蛇腹２ａ’が設けてあって、前記吸口２ａは、自然状態では図示上方に立ち上がるが図示のようにその弾性に抗して折り曲げることも可能になっている。また、吸口２ａの先端開口部にはシール部材２ｄが必要に応じて剥離できるように取着してある。
【００２５】
前記蓋部材１ａには孤状の凹所４が形成してあり、この部分に前記吸口部材２の前記鍔部２ｂ、吸口２ａが収納できるようになっている。また、管部２ｃの上部には前記小孔２ｅと同様の作用をする小孔２ｅが設けてある。
＜
【００２６】
さらに、缶蓋上面から缶の側壁上部にわたって「図３」に一点鎖線３で示すように、少なくとも前記凹所４を覆うように、容易に剥離できるように接着したシール部材３が設けてある。
【００２７】
本発明は以上のように構成されているから、販売場所に缶を陳列するまではほぼ円筒状に形成した缶体は外部に突出したころが無いので缶の取り扱いが容易で、販売する前に破損すするようなことがなく、購入者は購入した後、シール部材３を　剥がし、シール部材２ｄをはがせば、以後、仰向けになつたりすることなく、最後まで内容液をのみ干すことができる。
【００２８】
なお、これも図示してないが、「図３」、「図４」に示す装置において、管２ｃを凹所４の側壁部分に取着するように構成することも可能である。このように構成することによって、吸口２ａを横向きに配置できるので、その高さを低くすることができる。
【００２９】
「図５」は本発明のさらに他の実施態様を示す要部の斜視図であって、前述の缶と対応する部分には同一の符号を付して示してあり、それらについての説明は必要ない限り省略する。
【００３０】
図示の缶においては、缶本体の側壁上部適所に、缶の軸線方向に延在するほぼ半円形状の凹部４を設けてあり、該凹部の、円筒形缶体の軸線にほぼ垂直に形成した底部に開口を設け、この開口に前述の実施態様に示したのと同様の吸口部材２を装着してある。
【００３１】
該吸口部材２の鍔部２ｂは前記凹所の底部に密着装着してあり、これに続く、蛇腹２ａ’を有する吸口２は、開口端部に設けたシール部材２ｄを含めて、すべて前記凹部４内に収納されている。
【００３２】
前記凹部４を覆うように、図に符号３で示すシール部材が必要に応じて容易に剥離できるように貼着してある。
【００３３】
前記吸口部材２は、自然状態において先端の吸口部分が缶側よりも外方に湾曲と突出しているように構成しておき、前記シール部材３が存在するときには、シール部材の作用で凹部４内に収まっており、シール部材３を剥離したときに吸口先端部分が缶側より突出するように構成すると内容液の吸引が容易になる。
【００３４】
【発明の効果】
以上説明したように、本発明によるときは、ジュース、コーヒーその他の缶の上部に吸口部材を固着して、シール部材で外部から見えないようにして販売し、購入者がシール部材を剥がして吸口部分を露出させて飲用に供するように構成したから、製造、販売の全過程において作業者が、消費者が飲用する際口を付ける部位にふれる恐れがなく、極めて衛生的である。
また、缶を傾けることなく内容液をすべて飲み干すことができるから、液が少なくなったときに缶を傾け、仰向けになったりする必要がないので、見栄えもよく、液に噎せたりすることも好適に防止することができるる。
【図面の簡単な説明】
【図１】本発明をジュース等の缶に適用した実施例を示す要部側断面図
【図２】同上吸口部分の構成を示す拡大側面図
【図３】本発明の他の実施例を示す平面図
【図４】同上要部の側面図
【図５】さらに他の実施例を示す要部の斜視図
【符号の説明】
１・・・・・缶体
１ａ・・・・上蓋部材
１ｂ・・・・側壁部材
１ｃ・・・・凹所
２・・・・・吸口部材
２ａ・・・・吸口
２ｂ・・・・鍔部
２ｃ・・・・管部
２ｄ・・・・シール部材
２ｅ・・・・小孔
３・・・・・シール部材
４・・・・・凹部
【図１】
2004026304.tif 000003
【図２】
2004026304.tif 000004
【図３】
2004026304.tif 000005
【図４】
2004026304.tif 000006
【図５】
2004026304.tif 000007